(57)【要約】【課題】床の施工時に床パネルの寸法誤差や施工誤差を確実に吸収できる床パネルの支持構造および床の施工方法を提供することを目的とする。【解決手段】梁４の上面に、平面視矩形状に形成された複数の床パネル３０の端部が載置固定されてなり、複数の床パネル３０は、梁４の上面のうち一側縁４ｄと他側縁４ｄのそれぞれに互いに間隔を空けて配置されるとともに、端部が、一側縁４ｄと他側縁４ｄにそれぞれ載置固定されており、梁４の一側縁４ｄに載置固定される床パネル３０の端部と、梁４の他側縁４ｄに載置固定される床パネル３０の端部との間に、これら床パネル３０，３０の端部同士の間隔に対応する間隔調整用床材３１が設けられている。【選択図】図１４
2015021288.tif 000002
【特許請求の範囲】
【請求項１】
梁の上面に、平面視矩形状に形成された複数の床パネルの端部が載置固定されてなる床パネルの支持構造において、
前記複数の床パネルは、前記梁の上面のうち一側縁と他側縁のそれぞれに互いに間隔を空けて配置されるとともに、端部が、前記一側縁と前記他側縁にそれぞれ載置固定されており、
前記梁の一側縁に載置固定される床パネルの端部と、前記梁の他側縁に載置固定される床パネルの端部との間に、これら床パネルの端部同士の間隔に対応する間隔調整用床材が設けられていることを特徴とする床パネルの支持構造。
【請求項２】
請求項１に記載の床パネルの支持構造において、
前記間隔調整用床材は、
前記床パネルの端部同士の間隔に合わせて複数の調整用桟材を枠状に組んでなる枠体と、
前記枠体の上面に取り付けられるとともに、上面が、前記床パネルの上面と面一になる調整用面材と、を有することを特徴とする床パネルの支持構造。
【請求項３】
請求項１または２に記載の床パネルの支持構造において、
前記梁の上面に載置固定される前記床パネルの端部は、当該床パネルの短辺側の端部であることを特徴とする床パネルの支持構造。
【請求項４】
請求項１〜３のいずれか一項に記載の床パネルの支持構造において、
前記梁の上面に載置固定される前記床パネルの端部は、当該床パネルの長辺側の端部であることを特徴とする床パネルの支持構造。
【請求項５】
請求項１〜４のいずれか一項に記載の床パネルの支持構造を採用した床の施工方法であって、
前記複数の床パネルを前記梁の上面に設置した後、前記間隔調整用床材を、前記梁の一側縁に載置固定される床パネルの端部と、前記梁の他側縁に載置固定される床パネルの端部との間に設けることを特徴とする床の施工方法。
【発明の詳細な説明】
【技術分野】
【０００１】
本発明は、床パネルの支持構造および床の施工方法に関する。
【背景技術】
【０００２】
従来、門型のラーメンフレームを構成する梁の側面に固定された受材上に、床パネルの一端を載置して固定することによって、当該床パネルを支持する技術が知られている（特許文献１参照）。床パネルの端面は、梁の側面に突き当てられた状態となっている。
【先行技術文献】
【特許文献】
【０００３】
【特許文献１】特開２００７−２３１６６１号公報
【発明の概要】
【発明が解決しようとする課題】
【０００４】
ところが、床パネルの端面を梁の側面に突き当てるようにして床の施工を行う場合、床パネルを梁側に移動させることができないため、例えば床パネルの寸法誤差や施工誤差を吸収できないという問題がある。
【０００５】
本発明の課題は、床の施工時に床パネルの寸法誤差や施工誤差を確実に吸収できる床パネルの支持構造および床の施工方法を提供することを目的とする。
【課題を解決するための手段】
【０００６】
請求項１に記載の発明は、例えば図１〜図１４に示すように、梁４の上面に、平面視矩形状に形成された複数の床パネル３０の端部が載置固定されてなる床パネル３０の支持構造において、
前記複数の床パネル３０は、前記梁４の上面のうち一側縁４ｄと他側縁４ｄのそれぞれに互いに間隔を空けて配置されるとともに、端部が、前記一側縁４ｄと前記他側縁４ｄにそれぞれ載置固定されており、
前記梁４の一側縁４ｄに載置固定される床パネル３０の端部と、前記梁４の他側縁４ｄに載置固定される床パネル３０の端部との間に、これら床パネル３０，３０の端部同士の間隔に対応する間隔調整用床材３１が設けられていることを特徴とする。
【０００７】
請求項１に記載の発明によれば、前記複数の床パネル３０は、端部が、前記梁４の上面のうち一側縁４ｄと他側縁４ｄのそれぞれに載置固定されているので、前記梁４によって前記複数の床パネル３０を確実に支持できる。
そして、前記梁４の一側縁４ｄに載置固定される床パネル３０の端部と、前記梁４の他側縁４ｄに載置固定される床パネル３０の端部との間に前記間隔調整用床材３１が設けられているので、前記複数の床パネル３０に寸法誤差があったり、前記複数の床パネル３０を前記梁４の上面に固定する際に施工誤差が生じたりした場合であっても、前記間隔調整用床材３１によってこれら寸法誤差や施工誤差を確実に吸収できる。特に規模の大きい建物（例えば建物１）を構築する場合は、複数の床パネル３０が連続して設けられるのに伴って、床パネル３０の寸法誤差や施工誤差によって生じる誤差も大きくなる場合があるので、このような誤差が生じることを前記間隔調整用床材３１によって確実に回避できる。
【０００８】
請求項２に記載の発明は、請求項１に記載の床パネル３０の支持構造において、
前記間隔調整用床材３１は、
前記床パネル３０，３０の端部同士の間隔に合わせて複数の調整用桟材３２ａ，３２ｂ，３２ｃを枠状に組んでなる枠体３２と、
前記枠体３２の上面に取り付けられるとともに、上面が、前記床パネル３０の上面と面一になる調整用面材３３と、を有することを特徴とする。
【０００９】
請求項２に記載の発明によれば、前記調整用面材３３の下に前記枠体３２が設けられることになるので、当該枠体３２によって前記調整用面材３３を確実に支持できる。さらに、前記調整用面材３３の上面が、前記床パネル３０の上面と面一になるので、前記複数の床パネル３０，３０と連続する床面を形成することができる。
【００１０】
請求項３に記載の発明は、請求項１または２に記載の床パネル３０の支持構造において、
前記梁４の上面に載置固定される前記床パネル３０の端部は、当該床パネル３０の短辺側の端部であることを特徴とする。
【００１１】
請求項３に記載の発明によれば、前記梁４の上面に載置固定される前記床パネル３０の端部は、当該床パネル３０の短辺側の端部であるため、当該床パネル３０の長さ方向に寸法誤差があったとしても、また、当該床パネル３０の長さ方向に沿って施工誤差が生じたとしても、前記間隔調整用床材３１によってこれら寸法誤差や施工誤差を確実に吸収できる。
【００１２】
請求項４に記載の発明は、請求項１〜３のいずれか一項に記載の床パネル３０の支持構造において、
前記梁４の上面に載置固定される前記床パネル３０の端部は、当該床パネル３０の長辺側の端部であることを特徴とする。
【００１３】
請求項４に記載の発明によれば、前記梁４の上面に載置固定される前記床パネル３０の端部は、当該床パネル３０の長辺側の端部であるため、当該床パネル３０の長さ方向と直交する方向に寸法誤差があったとしても、また、当該床パネル３０の長さ方向と直交する方向に沿って施工誤差が生じたとしても、前記間隔調整用床材３１によってこれら寸法誤差や施工誤差を確実に吸収できる。
【００１４】
請求項５に記載の発明は、請求項１〜４のいずれか一項に記載の床パネル３０の支持構造を採用した床の施工方法であって、
前記複数の床パネル３０を前記梁４の上面に設置した後、前記間隔調整用床材３１を、前記梁４の一側縁４ｄに載置固定される床パネル３０の端部と、前記梁４の他側縁４ｄに載置固定される床パネル３０の端部との間に設けることを特徴とする。
【００１５】
請求項５に記載の発明によれば、前記複数の床パネル３０を前記梁４の上面に設置した後、前記間隔調整用床材３１を、前記梁４の一側縁４ｄに載置固定される床パネル３０の端部と、前記梁４の他側縁４ｄに載置固定される床パネル３０の端部との間に設けるので、前記複数の床パネル３０に寸法誤差があったり、前記複数の床パネル３０を前記梁４の上面に固定する際に施工誤差が生じたりした場合であっても、前記間隔調整用床材３１を、これら寸法誤差や施工誤差に確実に対応させることができる。
【発明の効果】
【００１６】
本発明によれば、梁によって複数の床パネルを確実に支持でき、さらに、複数の床パネルに寸法誤差があったり、複数の床パネルを梁の上面に固定する際に施工誤差が生じたりした場合であっても、間隔調整用床材によってこれら寸法誤差や施工誤差を確実に吸収できる。
【図面の簡単な説明】
【００１７】
【図１】本発明に係る床パネルの支持構造を採用した建物の躯体を示す斜視図である。
【図２】（ａ）は建物の一階、（ｂ）は建物の二階、（ｃ）は建物の三階を示す平面図である。
【図３】柱の構造を説明する斜視図である。
【図４】梁の構造を説明する斜視図である。
【図５】柱梁の接合部付近を示す斜視図である。
【図６】柱梁接合金物を示す斜視図である。
【図７】柱梁接合金物を示す斜視図である。
【図８】柱接合金物を示す斜視図である。
【図９】柱脚金物を示す正面図である。
【図１０】梁接合金物を示す斜視図である。
【図１１】梁接合金物を示す斜視図である。
【図１２】本発明に係る床パネルの支持構造を説明する平面図である。
【図１３】本発明に係る床パネルの支持構造を説明する斜視図である。
【図１４】本発明に係る床パネルの支持構造を説明する断面図である。
【発明を実施するための形態】
【００１８】
以下、図面を参照して本発明の実施の形態について説明する。
【００１９】
図１において符号１は建物を示す。この建物１は三階建ての建物であり、正面の幅（ｘ軸方向）と奥行き（ｙ軸方向）が３０ｍ程度の大規模な建物を想定している。また、図２（ａ）〜図２（ｃ）に示すように、一階にはピロティ等があり、二階には会議室等があり、三階には事務室等がある。
そして、この建物１は、複数の柱２，３と梁４から形成された躯体を有する軸組み工法によって構築されている。すなわち、建物１の基礎１ａに複数の柱２，３が固定され、前記複数の柱２，３のうち隣り合う柱２，２（柱２，３、柱３，３）の上端部間に前記梁４が架設され、柱２，３と梁４とが仕口部材１０，１１，１２，４０によって接合されている。また、前記基礎１ａはべた基礎であり、柱２，３が固定される部分は、他の部分より高く設定され、それぞれ複数のアンカーボルト（図示せず）が突設されている。
【００２０】
柱２は四角筒状のものであり、図３に示すように、四隅に配置された４本の柱材２ａと、左右前後に隣り合う柱材２ａ，２ａ間に２枚重ねて設けられた構造用パネル２ｂ，２ｂとから構成されている。柱材２ａは構造用集成材で形成されているが、無垢の角材によって形成してもよい。
【００２１】
また、柱材２ａの上端部には、４本の連結ボルト５がその上端部を柱材２ａの上端面から突出させるようにして挿入固定されている。柱材２ａの上端部には、金属製の補強キャップ６が被されている。また、前記補強キャップ６は、図示はしないがビス等により前記柱材２ａの上端部に固定されている。また、補強キャップ６を被せた状態において、前記連結ボルト５が、補強キャップ６に形成された穴に挿通され、当該穴から突出した状態となっている。
また、柱材２ａの下端部にも、上端部と同様にして、４本の連結ボルト５、補強キャップ６等が設けられている。
なお、連結ボルト５は、柱材２ａの端部に柱材２ａの軸方向に延在し、かつ柱材２ａの端面に開口する取付孔を形成し、この取付孔に接着剤を充填したうえで、連結ボルト５の基端部を挿入することによって、柱材２ａにその端面から突出するようにして取り付けられている。
【００２２】
前記構造用パネル２ｂは框材を矩形枠状に組み立てて矩形枠を形成し、必要に応じてこの矩形枠内に補強桟材を組み付け、さらに矩形枠の両面に合板等の面材を貼着したものである。このような構造用パネル２ｂ，２ｂは２枚重ねてビスによって接合されている。また、構造用パネル２ｂ，２ｂの接合はビスに加えて接着剤を併用してもよい。
なお、構造用パネル２ｂと柱材２ａとの接合は接着剤および釘打ちによってなされている。
【００２３】
柱３は、複数本の前記柱２を接合してなる大型の柱（以下、接合柱３）である。本実施の形態においては建物１のｘ軸方向に２本の柱２，２を接合してなる。これら２本の柱２，２は、一方の柱２の側面と他方の柱２の側面とが当接され、接着剤やビス止め等が行われることで接合されている。
また、この接合柱３には、ｘ軸方向に延設する梁が一本、ｙ軸方向に延設する梁が２本接合される。
この接合柱３は、建物１の正面視（ｙ軸方向への視線）において、一階の左右中央の二箇所に左右に離間して配置されている。なお、一階の接合柱３，３の上方に位置する二階および三階の柱２，２は、接合柱３を構成する２本の柱２，２のうち建物１の正面視内側に位置する柱２の上方に位置する。
【００２４】
梁４は四角筒状のものであり、図４に示すように、四隅に配置された４本の梁材４ａと、左右に隣り合う梁材４ａ，４ａ間に２枚重ねて設けられた構造用パネル４ｂ，４ｂと、上下に隣り合う梁材４ａ，４ａ間に２枚重ねられて設けられた構造用パネル４ｃ，４ｃとから構成されている。梁材４ａは構造用集成材で形成されているが、無垢の角材によって形成してもよい。
また、本実施の形態の梁４は、長さの異なる複数の梁４Ａ，４Ｂ，４Ｂを繋げることにより長尺に形成されている。隣接する梁４Ａ，４Ｂ，４Ｂ同士は、梁接合金物１２Ａ，１２Ａによって接合されている。
【００２５】
また、構造用パネル４ｂ，４ｃは、前記構造用パネル２ｂと同様に、それぞれ框材を矩形枠状に組み立てて矩形枠を形成し、必要に応じてこの矩形枠内に補強桟材を組み付け、さらに、この矩形枠の両面に合板等の面材を貼着したものである。このような構造用パネル４ｂ，４ｂおよび構造用パネル４ｃ，４ｃはそれぞれ２枚重ねてビスによって接合されている。また、構造用パネル４ｂ，４ｂおよび４ｂ，４ｃの接合はビスに加えて接着剤を併用してもよい。
なお、構造用パネル４ｂ，４ｃと梁材４ａとの接合は接着剤および釘打ちによってなされている。
また、梁材４ａの両端部には、それぞれ４本の連結ボルト５がその一端部を梁材４ａの端面から突出させるようにして挿入固定されている。さらに、梁材４ａの端部には、柱材２ａと同様に、金属製の補強キャップ６が被されている。
【００２６】
前記仕口部材は、図５〜図１１に示すように、柱梁接合金物１０と、柱接合金物１１（柱脚金物２０を含む）と、梁接合金物１２と、接合柱３用の柱梁接合金物４０と、梁接合金物１２の縦方向の位置を位置決めする縦位置決め手段と、を備えて構成されている。
【００２７】
柱梁接合金物１０は、柱２と梁４の延長上の交差部に配置される略直方体状の金物であり、図６に示すように、内部は空洞となっている。つまり、柱梁接合金物１０は、略四角筒状に形成されている。
また、この柱梁接合金物１０は、図６等に示すように、その８つの角部にそれぞれ直方体状の受ブロック１３を有しており、上下に離間する受ブロック１３，１３が四角筒状の縦部材１４によって連結されており、前後左右にそれぞれ離間する受ブロック１３，１３が四角筒状の横部材１５によってそれぞれ連結されている。また、隣り合う縦部材１４，１４間には略矩形状の板材１６が設けられており、この板材１６の縦縁部が縦部材１４に接合され、横縁部が横部材１５に接合されている。
また、受ブロック１３の上面１３ａ（または下面１３ｄ）、側面１３ｂにはそれぞれねじ穴１３ｃが形成されており、柱梁接合金物１０，４０と、他の仕口部材である柱接合金物１１，梁接合金物１２，柱脚金物２０とが、このねじ穴１３ｃにねじ込まれる連結ボルトによって連結される。
【００２８】
柱梁接合金物１０の下端部側面のそれぞれには、複数の突出部材１５ａ，１５ａが外側に突出するようにして設けられている。これら複数の突出部材１５ａ，１５ａは、前記縦位置決め手段を構成するものである。
【００２９】
柱梁接合金物４０は、複数本の柱２を接合してなる接合柱３と梁４の延長上の交差部に配置される略直方体フレーム状の金物である。この柱梁接合金物４０は、１本の柱２用の前記柱梁接合金物１０を２つ並べた分の大きさと略等しい大きさに設定されている。すなわち、２つの前記柱梁接合金物１０を一体化させたような構成となっている。
この柱梁接合金物４０にも、前記複数の突出部材１５ａ，１５ａが設けられているものとする。
【００３０】
前記柱接合金物１１は、柱梁接合金物１０の下端面に接合される金物であり、図７に示すように、前後左右に離間して配置された４つの柱接合用箱形金物１７と、これら柱接合用箱形金物１７，１７どうしを連結する４つの連結部材１８とによって四角形枠状に形成されている。
また、４つの柱接合用箱形金物１７は、柱梁接合金物１０の受ブロック１３のねじ穴１３ｃと対向し、連結ボルトが挿通される貫通孔１７ｄをそれぞれ備える。
【００３１】
また、柱２の下端部には柱脚金物２０が接合されている。この柱脚金物２０は図８に示すように、前後左右に離間して配置された４つの箱形金物１７Ａと、これら箱形金物１７Ａ，１７Ａどうしを連結する４つの連結部材１８Ａとを備えた金物である。
また、柱脚金物２０は、基礎１ａの上面に設置されている。基礎１ａは鉄筋コンクリートで形成されており、図示はしないが、この基礎１ａに突設されたアンカーボルトが箱形金物１７Ａの下面の貫通孔に挿通され、この挿通されたアンカーボルトにナットが螺合されて締め付けられている。
このようにして、柱２の下端面が柱脚金物２０を介して基礎１ａの上面に接合されている。
【００３２】
前記梁接合金物１２は、柱梁接合金物１０の側面に接合される金物であり、図９および図１０等に示すように、上下左右に離間して配置された４つの梁接合用箱形金物２７と、これら梁接合用箱形金物２７，２７どうしを連結する４つの連結部材２８，２９とを備えている。
また、４つの梁接合用箱形金物２７は、柱梁接合金物１０の受ブロック１３のねじ穴１３ｃと対向し、連結ボルトが挿通される貫通孔２７ｄをそれぞれ備える。
また、梁接合金物１２の四つの連結部材２８，２９のうち、水平に配置される連結部材２８，２８には、切欠凹部１２ａ，１２ａがそれぞれ形成されている。これら切欠凹部１２ａ，１２ａは、前記縦位置決め手段を構成するものである。
【００３３】
また、梁接合金物１２は、図１０および図１１に示すように、縦方向の位置決め後に、当該梁接合金物１２の横方向の位置決めに用いられる横位置決め用孔部１２ｂ，１２ｂを有する。
横位置決め用孔部１２ｂ，１２ｂは、前記連結部材２８，２８のウエブに貫通形成されており、棒状器具１２ｃが挿し込まれる。そして、棒状器具１２ｃによって、横位置決め用孔部１２ｂとの接触部分を作用点とし、前記突出部材１５ａを支点として、梃子の原理を利用して梁接合金物１２の横方向の位置を位置決めできる。
【００３４】
柱接合金物１１は、柱２の上端面に以下のようにして接合されている。
すなわち、柱２の上端面の四隅部、言い換えると柱２の四隅部に位置する柱材２ａの上端面から突出する４本の連結ボルト５が、柱接合金物１１の柱接合用箱形金物１７の下面に形成される４つの貫通孔１７ｅにそれぞれ挿通されるとともに、柱材２ａの補強キャップ６の平板部（柱材２ａの端面側部分）が柱接合用箱形金物１７の下面に当接されたうえで、連結ボルト５にナットが螺合されて締め付けられている。ナットは柱接合用箱形金物１７の開口部１７ｃから挿入され、当該開口部１７ｃからレンチ等の工具を挿入し、この工具によって締め付けられている。
また、このような柱接合金物１１は、前記接合柱３に対しては、当該接合柱３を構成する一方の柱２と他方の柱２の上端面に同様の接合形態を採用して接合されている。すなわち、接合柱３の上端面において２つの柱接合金物１１，１１が隣接して設けられることになる。
【００３５】
柱脚金物２０は、柱接合金物１１と上下逆にして配置され、柱２の柱材２ａの下端面から突出する４本の連結ボルト５が柱脚金物２０の箱形金物１７Ａの上面に形成される４つの貫通孔１７ｅにそれぞれ挿通されるとともに、柱材２ａの補強キャップ６の平板部が箱形金物１７Ａの上面に当接されたうえで、連結ボルト５にナットが螺合されて締め付けられている。
さらに、柱２の構造用パネル２ｂの下端面が前記連結部材１８Ａの上のフランジ１８ｂの上面に当接されたうえで、この上のフランジ１８ｂに形成された多数の孔からビスが構造用パネル２ｂの下端面にねじ込まれるとともに、フランジ１８ｂと構造用パネル２ｂの下端面とが接着剤で接着されている。
また、このような柱脚金物２０は、前記接合柱３に対しては、当該接合柱３を構成する一方の柱２と他方の柱２の下端面に同様の接合形態を採用して接合されている。すなわち、接合柱３の下端面において２つの柱脚金物２０，２０が隣接して設けられる。
【００３６】
梁接合金物１２は、梁４の端面に以下のようにして接合されている。
すなわち、梁４の端面の四隅部、言い換えると、梁４の四隅部に位置する梁材４ａの端面から突出する４本の連結ボルト５が梁接合金物１２の梁接合用箱形金物２７の端面に形成される４つの貫通孔にそれぞれ挿通されるとともに、梁材４ａの補強キャップ６の平板部（梁材４ａの端面側部分）が梁接合用箱形金物２７の端面に当接されたうえで、連結ボルト５にナットが螺合されて締め付けられている。ナットは梁接合用箱形金物２７の開口部２７ｃから挿入され、当該開口部２７ｃからレンチ等の工具を挿入し、この工具によって締め付けられている。
さらに、梁４の構造用パネル４ｂ，４ｃの端面が前記連結部材２８，２９のフランジ２８ｂ，２９ｂの表面（接合面）２８ｃ，２９ｃに当接されたうえで、このフランジ２８ｂ，２９ｂに形成された多数の孔からビスが構造用パネル４ｂ，４ｃの端面にねじ込まれている。
【００３７】
前記柱２および梁４には、予め工場等において、柱接合金物１１、柱脚金物２０、梁接合金物１２が取り付けられたうえで建築現場に搬入され、当該建築現場で、図５等に示すように、柱２と梁４とが柱梁接合金物１０を介して接合されるとともに、柱２の下端部が柱脚金物２０を介して基礎１ａに接合される。
隣り合う柱２，２の上端部間に梁４が配置され、柱２の上端部と梁４の端部とが、柱梁接合金物１０、柱接合金物１１、梁接合金物１２によって構成された仕口部材によって接合されて、ラーメン構造となっている。
【００３８】
さらに、前記柱梁接合金物１０の上面には、（上の）柱接合金物１１が、柱梁接合金物１０の下面に接合されている下の柱接合金物１１と上下逆にして、かつ下の柱接合金物１１と同様にして接合されている。
また、上の柱接合金物１１には上階の柱２が、前記柱脚金物２０に１階の柱２を接合した同様の構造によって接合されている。
また、隣り合う柱２，２と梁４とで囲まれる空間には、柱２，２や梁４に接合させるようにして耐力壁を設けることができる。
【００３９】
梁４の上面には、図５，図１２〜図１４に示すように、平面視矩形状に形成された複数の床パネル３０の端部が載置固定されている。すなわち、これら複数の床パネル３０は、平面視において縦横（格子状）に配置された梁４…に対して架け渡されるようにして設けられている。
この床パネル３０は、建築用床パネルであり、床梁となる框材３０ａを矩形枠状に組み立て、この矩形枠の内部に床梁となる補強桟材３０ｂを組み付け、さらに、矩形枠の上面に合板等からなる面材３０ｃを貼り付けたものである。
【００４０】
また、前記複数の床パネル３０は、梁４の上面のうち一側縁４ｄと他側縁４ｄのそれぞれに互いに間隔を空けて配置されるとともに、端部が、前記一側縁４ｄと前記他側縁４ｄにそれぞれ載置固定されている。すなわち、梁４の上面で対向する床パネル３０，３０の端部同士は当接せずに、間隔を空けた状態となっている。
そして、梁４の一側縁４ｄに載置固定される床パネル３０の端部と、梁４の他側縁４ｄに載置固定される床パネル３０の端部との間に、これら床パネル３０，３０の端部同士の間隔に対応する間隔調整用床材３１が設けられている。すなわち、この間隔調整用床材３１は現場で形成される。
【００４１】
間隔調整用床材３１は、枠体３２と、調整用面材３３と、を有する。
前記枠体３２は、床パネル３０，３０の端部同士の間隔に合わせて複数の調整用桟材３２ａ，３２ｂ，３２ｃを枠状に組んでなる。
なお、これら複数の調整用桟材３２ａ，３２ｂ，３２ｃの高さ寸法は略等しく設定されている。また、その高さ寸法は、前記床パネル３０の框材３０ａおよび補強桟材３０ｂとも等しく設定されている。
【００４２】
調整用桟材３２ａは、床パネル３０，３０の端部同士の間隔において、梁４の長さ方向に沿って設けられるとともに、床パネル３０，３０の端部に対して当接される。すなわち、この調整用桟材３２ａは、梁４の長さ方向に沿って長尺であり、一方の床パネル３０の端部に当接する一本と、他方の床パネル３０の端部に当接する一本とがある。また、図示はしないが、これら複数の調整用桟材３２ａ，３２ａの長さ方向両端部は、柱２の下端部に設けられる柱接合金物１１に対して当接する。
なお、この調整用桟材３２ａは、前記床パネル３０の端部に対してビス止めされている。より詳細には、図１４に示すように、床パネル３０側から調整用桟材３２ａに向かってビスが打ち込まれている。これら調整用桟材３２ａと床パネル３０の接合はビスに加えて接着剤を併用してもよい。
また、この調整用桟材３２ａは、梁４の梁材４ａに対してもビス止めされている。より詳細には、梁材４ａ側から調整用桟材３２ａに向かって斜めにビス止めされるとともに、調整用桟材３２ａ側から梁材４ａに向かって斜めにビス止めされている。さらに、これら調整用桟材３２ａと梁材４ａの接合はビスに加えて接着剤を併用してもよい。
【００４３】
調整用桟材３２ｂは、前記調整用桟材３２ａの内側面（床パネル３０の端部とは反対側の側面）に、当該調整用桟材３２ａの長さ方向に沿って複数取り付けられるものである。
これら複数の調整用桟材３２ｂ…は、互いに間隔を空けて配置されている。そして、隣り合う調整用桟材３２ｂ，３２ｂ間には、調整用桟材３２ｃの端部が挿入されるようになっている。
【００４４】
調整用桟材３２ｃは、調整用桟材３２ａおよび調整用桟材３２ｂと直交する方向に配置され、かつ梁４の長さ方向に互いに間隔を空けて複数設けられるものである。その長さ方向両端部は、前記隣り合う調整用桟材３２ｂ，３２ｂ間の隙間に挿入されるとともに、調整用桟材３２ａの内側面に当接固定される。
また、この調整用桟材３２ｃは、双方の調整用桟材３２ａ，３２ａの長さ方向一端部間と、双方の調整用桟材３２ａ，３２ａの長さ方向他端部間に架設固定されている。
【００４５】
前記調整用面材３３は、合板等からなり、枠体３２の上面に取り付けられ、上面が、前記床パネル３０，３０の上面と面一になるものである。
また、この調整用面材３３は、前記枠体３２の長さと略等しくなるように設定されていてもよいし、複数の調整用面材３３を用いて枠体３２の上面を覆うようにしてもよい。
なお、この調整用面材３３の端縁は、床パネル３０，３０の端部同士の間隔に合わせて適宜切削してもよいものとする。また、この調整用面材３３は、枠体３２に対してビスや接着剤により固定される。
【００４６】
本実施の形態において複数の床パネル３０は、上述のように、平面視において縦横（格子状）に配置された梁４…に対して架け渡されているため、平面視矩形状の床パネル３０の短辺側の端部が梁４の上面に載置固定される場合も、長辺側の端部が梁４の上面に載置固定される場合もある。
すなわち、図１において、建物１の床に帯状に見える部分が、前記間隔調整用床材３１が設けられる部分となっている。したがって、間隔調整用床材３１も、前記梁４と同様に平面視において縦横（格子状）に配置されることになる。
【００４７】
以上のような建物１の床の施工方法は、まず、複数の床パネル３０をクレーン等により吊り上げて、これら複数の床パネル３０を梁４の上面に設置する。この時、複数の床パネル３０は、その短辺側の端部と長辺側の端部とが、梁４の上面の一側縁４ｄと他側縁４ｄに載るようにする。
続いて、これら複数の床パネル３０の端部を梁４の上面の一側縁４ｄと他側縁４ｄにそれぞれ固定する。
【００４８】
このように複数の床パネル３０を梁４の上面に設置した後、前記間隔調整用床材３１を、梁４の一側縁４ｄに載置固定される床パネル３０の端部と、梁４の他側縁に載置固定される床パネル３０の端部との間に設ける。
すなわち、まず、床パネル３０，３０の端部同士の間隔の空いた部分に枠体３２を設ける。より詳細には、調整用桟材３２ａを、一方の床パネル３０の端部に当接させてビス等により固定し、他方の床パネル３０の端部にも当接させてビス等により固定する。
続いて、複数の調整用桟材３２ｂを、調整用桟材３２ａの内側面に固定する。なお、これら複数の調整用桟材３２ｂは、予め工場等で調整用桟材３２ａの内側面に固定しておいてもよいものとする。
続いて、複数の調整用桟材３２ｃそれぞれを、隣り合う調整用桟材３２ｂ，３２ｂ間の隙間に挿入するとともに、調整用桟材３２ａの内側面に当接固定する。
【００４９】
その後、調整用面材３３を、枠体３２の上面に、ビスや接着剤等により固定する。
なお、２，３階の床の外周に位置する梁４の上面には、前記複数の床パネル３０よりも幅の細い他の床パネル３４が設けられる。すなわち、図５に示すように、この床パネル３４は、柱梁接合金物１０や柱接合金物１１の幅寸法と略等しく設定されている。
また、２，３階の床の外周には、柱接合金物１１を除く部分に対して胴差３５が取り付けられる。
以上のようにして建物１の床を施工する。
【００５０】
本実施の形態によれば、前記複数の床パネル３０は、端部が、前記梁４の上面のうち一側縁４ｄと他側縁４ｄのそれぞれに載置固定されているので、前記梁４によって前記複数の床パネル３０を確実に支持できる。
そして、前記梁４の一側縁４ｄに載置固定される床パネル３０の端部と、前記梁４の他側縁４ｄに載置固定される床パネル３０の端部との間に前記間隔調整用床材３１が設けられているので、前記複数の床パネル３０に寸法誤差があったり、前記複数の床パネル３０を前記梁４の上面に固定する際に施工誤差が生じたりした場合であっても、前記間隔調整用床材３１によってこれら寸法誤差や施工誤差を確実に吸収できる。特に規模の大きい建物（例えば建物１）を構築する場合は、複数の床パネル３０が連続して設けられるのに伴って、床パネル３０の寸法誤差や施工誤差によって生じる誤差も大きくなる場合があるので、このような誤差が生じることを前記間隔調整用床材３１によって確実に回避できる。
【００５１】
また、前記調整用面材３３の下に前記枠体３２が設けられることになるので、当該枠体３２によって前記調整用面材３３を確実に支持できる。さらに、前記調整用面材３３の上面が、前記床パネル３０の上面と面一になるので、前記複数の床パネル３０，３０と連続する床面を形成することができる。
【００５２】
また、前記梁４の上面に載置固定される前記床パネル３０の端部は、当該床パネル３０の短辺側の端部であるため、当該床パネル３０の長さ方向に寸法誤差があったとしても、また、当該床パネル３０の長さ方向に沿って施工誤差が生じたとしても、前記間隔調整用床材３１によってこれら寸法誤差や施工誤差を確実に吸収できる。
【００５３】
また、前記梁４の上面に載置固定される前記床パネル３０の端部は、当該床パネル３０の長辺側の端部であるため、当該床パネル３０の長さ方向と直交する方向に寸法誤差があったとしても、また、当該床パネル３０の長さ方向と直交する方向に沿って施工誤差が生じたとしても、前記間隔調整用床材３１によってこれら寸法誤差や施工誤差を確実に吸収できる。
【００５４】
また、前記複数の床パネル３０を前記梁４の上面に設置した後、前記間隔調整用床材３１を、前記梁４の一側縁４ｄに載置固定される床パネル３０の端部と、前記梁４の他側縁４ｄに載置固定される床パネル３０の端部との間に設けるので、前記複数の床パネル３０に寸法誤差があったり、前記複数の床パネル３０を前記梁４の上面に固定する際に施工誤差が生じたりした場合であっても、前記間隔調整用床材３１を、これら寸法誤差や施工誤差に確実に対応させることができる。
【符号の説明】
【００５５】
１  建物
２  柱
３  柱（接合柱）
４  梁
４ｄ  側縁
３０  床パネル
３０ａ  框材
３０ｂ  補強桟材
３０  面材
３１  間隔調整用床材
３２  枠体
３２ａ  調整用桟材
３２ｂ  調整用桟材
３２ｃ  調整用桟材
３３  調整用面材
【図１】
2015021288.tif 000003
【図２】
2015021288.tif 000004
【図３】
2015021288.tif 000005
【図４】
2015021288.tif 000006
【図５】
2015021288.tif 000007
【図６】
2015021288.tif 000008
【図７】
2015021288.tif 000009
【図８】
2015021288.tif 000010
【図９】
2015021288.tif 000011
【図１０】
2015021288.tif 000012
【図１１】
2015021288.tif 000013
【図１２】
2015021288.tif 000014
【図１３】
2015021288.tif 000015
【図１４】
2015021288.tif 000016